(57)【要約】      （修正有）【課題】本体ケースおよびセットされる遮熱板と所定の対応関係が実現されていないと、加熱用の電熱ヒータ部に電源が供給されないようにした電気加熱調理器を提供する。【解決手段】電熱ヒータ７に受電部が設けられ、受電部内の感熱棒挿入孔部分に、感熱棒の挿入を阻止する複数の感熱棒誤挿入阻止壁３５，３６を設けた。本体ケースおよびセット対象物と、所定の対応関係が実現されていない時に、受電部内の感熱棒挿入孔部分において、各々対応する感熱棒阻止壁が感熱棒の挿入を阻止することにより、電源の供給ができないようになる。【選択図】図９
2014050559.tif 000002
【特許請求の範囲】
【請求項１】
調理プレートと、該調理プレートが上部にセットされる本体ケースと、該本体ケースの内側底部にセットされる遮熱板と、該遮熱板上にセットされ、上記本体ケース上にセットされた調理プレートを加熱する電熱ヒータとからなる電気加熱調理器であって、上記電熱ヒータには、温度検出用の感熱棒を備えた電源供給装置が挿脱可能に接続される受電部が設けられているとともに、該受電部内の感熱棒挿入孔部分には、電源の供給に際し、上記本体ケースおよび本体ケースにセットされるセット対象物との関係において所定の対応関係が実現されていないと、上記感熱棒の挿入を阻止する複数の感熱棒誤挿入阻止壁が設けられていることを特徴とする電気加熱調理器。
【請求項２】
上記複数の感熱棒誤挿入阻止壁は、それぞれ上下方向に昇降自在に支持されており、電熱ヒータが本体ケース内に設置されていない電熱ヒータ単独の状態では、下降することによって、感熱棒の挿入を阻止するようになっていることを特徴とする請求項１記載の電気加熱調理器。
【請求項３】
上記複数の感熱棒誤挿入阻止壁は、電熱ヒータが本体ケース内に設置された状態では、本体ケースおよび本体ケース内にセットされるセット対象物の一部によって、阻止状態が解除されるようになっていることを特徴とする請求項１又は２記載の電気加熱調理器。
【発明の詳細な説明】
【技術分野】
【０００１】
本願発明は、電気加熱調理器に関し、さらに詳しくは、電熱ヒータおよび電熱ヒータが取り出し可能にセットされる本体ケースを備えるとともに、本体ケースに対して掛け替え可能な複数枚の加熱調理プレートを組み合わせてなる電気加熱調理器に関するものである。
【背景技術】
【０００２】
このような電気加熱調理器は、一般にホップレートと称され、焼物等の加熱調理に重宝されている。
【０００３】
この種の電気加熱調理器は、例えば調理プレートと、該調理プレートが上部にセットされる本体ケースと、該本体ケースの内側底部にセットされる遮熱板と、該遮熱板の上部にセットされ、上記本体ケース上にセットされた調理プレートを加熱する取り出し可能な電熱ヒータとからなり、上記電熱ヒータの基部には、温度検出用の感熱棒を備えた一般にコントロールマスターと呼ばれる温度調節機能を有した電源供給装置が挿脱可能に接続されるソケット状の受電部（コントロールマスター受け部）が設けられている。
【０００４】
そして、例えば同受電部の感熱棒挿入孔部分の両側には受電用の電源プラグが設けられており、感熱棒挿入孔に感熱棒が挿入されると、同受電部の受電用電源プラグに電源供給装置側の筒状の給電端子が嵌合状態で接続されて電熱ヒータに対して電源が供給されるようになっている。
【０００５】
このようなプラグインサーモ構造による給電方式は、長い電源コードを有する電源供給装置（コントロールマスター）を別途収納できることや加熱調理器本体側にサーモ手段を設ける必要がないので、電熱ヒータ部分の構成が簡単かつシンプルになってメンテナンスも容易になる、などのメリットがある。
【０００６】
しかし、この種の電気加熱調理器は、上述したように、加熱台である本体ケース内に遮熱板、電熱ヒータが取出し可能な形で任意にセットされるようになっており、本体ケース内に遮熱板をセットせずに電熱ヒータをセットし、プラグインすると電熱ヒータが発熱し、該電熱ヒータの発熱により合成樹脂製の本体ケース底部（通常開口部となっている）が加熱されてしまい、テーブル等の下方側載置面を焦がす恐れがある。
【０００７】
また、上記電熱ヒータは、場合によっては本体ケース内にセットされていない電熱ヒータ単独の状態でプラグインされることも考えられ、そのような場合には、火傷などの恐れもある。
【０００８】
そこで、例えば受電部ケーシング内の感熱棒挿入孔部分に調理プレートのセットに対応して調理プレートがセットされていない時には、スプリング等の付勢手段により上昇状態に維持されて感熱棒の挿入を阻止する第１の検知プレート（第１の感熱棒誤挿入阻止壁）、同受電部ケーシングの外側前端部分に遮熱板がセットされていないと、下降状態に維持されて感熱棒の挿入を阻止するが、遮熱板がセットされていると、その縁部に当接して上昇し、感熱棒の挿入を可能にする第２の検知プレートと（第２の感熱棒誤挿入阻止壁）との複数の検知プレートを設けて、電熱ヒータへの給電状態をコントロールできるようにしたものがある（特許文献１の構成を参照）。
【先行技術文献】
【特許文献】
【０００９】
【特許文献１】特開２００６−２０９６５号公報（図５、図７、図８参照）
【発明の概要】
【発明が解決しようとする課題】
【００１０】
しかし、該従来例の感熱棒誤挿入防止構造では、電熱ヒータが本体ケース内にセットされていることを前提として、調理プレートがセットされているか否か、遮熱板がセットされているか否かを検知し、給電の可否を決定するものにすぎず、なお、次のような課題は解決されていない。
【００１１】
（１）  本体ケースの外部において遮熱板の上部に電熱ヒータをセットすれば、上記第２の検知プレートは遮熱板を検知して上昇し、感熱棒の挿入を可能とする。
【００１２】
したがって、この状態で、さらに調理プレートが載置されると、上記第１の検知プレートが調理プレートの突起に押されて下降し、感熱棒の挿入を可能とする。
【００１３】
これらの結果、上記本体ケースのない状態での電熱ヒータの発熱の危険性が残されている。
【００１４】
（２）  電熱ヒータは本体ケースと別体で、単独でも任意に外部に取り出せるので、上記遮熱板がない状態で、電熱ヒータ上に調理プレートを載せると、第１の検知プレートは下降し、他方、第２の検知プレートは受電部ケーシングの外部に設けられていることから、指などで持ち上げ操作可能であり、持ち上げられると感熱棒の挿入が可能となり、電熱ヒータが発熱する。
【００１５】
（３）  調理プレートの一部により操作される第１の検知プレートの上端側操作口部が上方に大きく開放されており、調理プレートがなくても外部操作が可能であり、また第２の検知プレートは、その全体が受電部ケーシング外部に露出しており、外部部材との干渉により作用する可能性がある。したがって、セーフティー構造としては信頼性に劣る問題がある。
【００１６】
また、ケーシング外に誤挿入阻止壁を設けているため、受電部の構造が繁雑になり、故障しやすく、受電部の構成のコンパクトさに欠ける。
【００１７】
本願発明は、このような問題に鑑み、上記電熱ヒータの受電部内の感熱棒挿入孔部分に、本体ケース、遮熱板、電熱ヒータ等が各々適切な対応状態にセットされないと、電熱ヒータ受電部に対して電源供給装置側の感熱棒の挿入が出来ないようにする複数の感熱棒誤挿入阻止壁を設けることによって、コンパクトかつ外部操作不可能な形で、より確実に誤挿入を防止するようにした電気加熱調理器を提供することを目的とするものである。
【課題を解決するための手段】
【００１８】
本願発明は、上記の目的を達成するために、次のような課題解決手段を備えて構成されている。
【００１９】
（１）  請求項１の発明
この発明の電気加熱調理器は、調理プレートと、該調理プレートが上部にセットされる本体ケースと、該本体ケースの内側底部にセットされる遮熱板と、該遮熱板上にセットされ、上記本体ケース上にセットされた調理プレートを加熱する電熱ヒータとからなる電気加熱調理器であって、上記電熱ヒータには、温度検出用の感熱棒を備えた電源供給装置が挿脱可能に接続される受電部が設けられているとともに、該受電部内の感熱棒挿入孔部分には、電源の供給に際し、上記本体ケースおよび本体ケースにセットされるセット対象物との関係において所定の対応関係が実現されていないと、上記感熱棒の挿入を阻止する複数の感熱棒誤挿入阻止壁が設けられていることを特徴としている。
【００２０】
このように、この発明の構成では、上記電熱ヒータには、温度検出用の感熱棒を備えた電源供給装置が挿脱可能に接続される受電部が設けられているとともに、同受電部内の感熱棒挿入孔部分に、電源の供給に際し、上記本体ケースおよび本体ケースにセットされるセット対象物との関係において所定の対応関係が実現されていないと、上記感熱棒の挿入を阻止する複数の感熱棒誤挿入阻止壁が設けられている。
【００２１】
したがって、例えば上記電熱ヒータ自体が、その収納部である本体ケース内にセットされていない場合とか、上記電熱ヒータが一応本体ケース内にセットされてはいるが、本体ケース内底面側に断熱用の遮熱板を介設することなくセットされている場合のように、本体ケース内にセットされるべきセット対象物との関係において、所定の対応関係が実現されていない時は、受電部内の感熱棒挿入孔部分において、各々対応する感熱棒誤挿入阻止壁が感熱棒の挿入を阻止することから、以上のような状態では、電熱ヒータに対して電源供給装置側からの電源を供給することもできず、安全となる。
【００２２】
（２）  請求項２の発明
この発明の電気加熱調理器は、上記請求項１の発明の構成において、上記複数の感熱棒誤挿入阻止壁は、それぞれ上下方向に昇降自在に支持されており、電熱ヒータが本体ケース内に設置されていない電熱ヒータ単独の状態では、下降することによって、感熱棒の挿入を阻止するようになっていることを特徴としている。
【００２３】
このように、複数の感熱棒誤挿入阻止壁が、上述した受電部内の感熱棒挿入孔部分において、それぞれ上下方向に昇降自在に支持されており、電熱ヒータが本体ケースに設置されていない電熱ヒータ単独の状態では、重力又は所定の付勢力などにより下降することによって、感熱棒の挿入を阻止するようになっていると、例えば上記電熱ヒータ自体が、その収納部である本体ケース内にセットされていない電熱ヒータ単独の場合とか、上記電熱ヒータが一応本体ケース内にセットされてはいるが、本体ケース内底面側に断熱用の遮熱板を介設することなくセットされている場合のように、本体ケース内にセットされるべきセット対象物との関係において、所定の対応関係が実現されていない時には、受電部内の感熱棒挿入孔部分において、各々対応する感熱棒誤挿入阻止壁が各々下降状態となって上記感熱棒の挿入を阻止することから、以上の状態では、電熱ヒータに対して電源供給装置側からの電源を供給することができず、安全となる。
【００２４】
（３）  請求項３の発明
この発明の電気加熱調理器は、上記請求項１又は２の発明の構成において、上記複数の感熱棒誤挿入阻止壁は、電熱ヒータが本体ケース内に設置された状態では、本体ケースおよび本体ケース内にセットされるセット対象物の一部によって、阻止状態が解除されるようになっていることを特徴としている。
【００２５】
このように、受電部内の感熱棒挿入孔部分における複数の感熱棒誤挿入阻止壁が、電熱ヒータが本体ケースに設置された状態では、本体ケースおよび本体ケース内にセットされるセット対象物の一部によって、その阻止状態が解除されるようになっていると、例えば上記電熱ヒータ自体が、その収納部である本体ケース内にセットされていない電熱ヒータ単独の場合とか、上記電熱ヒータが一応本体ケース内にセットされてはいるが、本体ケース内底面側に断熱用の遮熱板を介設することなくセットされている場合のように、本体ケース内にセットされるべきセット対象物との関係において、所定の対応関係が実現されていない時には、受電部内の感熱棒挿入孔部分において、各々対応する感熱棒誤挿入阻止壁が本体ケース側又はセットされるべき対象物側の一部と対応せず、したがって、阻止状態は解除されず、感熱棒の誤挿入を阻止することから、以上の状態では、電熱ヒータに対して電源供給装置側からの電源を供給することもできず、安全となる。
【発明の効果】
【００２６】
以上の結果、本願発明によると、次のような効果を得ることができる。
【００２７】
（１）  電源の供給に際し、本体ケースおよび本体ケースにセットされるセット対象物各々との関係において、所定の対応関係が実現されていないと、感熱棒の挿入が阻止されるから、より確実に通電時の安全性が実現される。
【００２８】
（２）  複数の感熱棒挿入阻止壁は、それらの何れも受電部ケーシング内の感熱棒挿入孔部分に格納される形で設けられているため、受電部の外部に、あるいは受電部周辺に、不必要な突出部を設ける必要がなく、通電阻止構造をコンパクトに実現することができる（また外部からの操作も不可能であるので、信頼性が高く、より安全になる）。
【００２９】
しかも故障も少ない。
【図面の簡単な説明】
【００３０】
【図１】本願発明の実施の形態に係る電気加熱調理器の、受けプレート、たこ焼きプレート又は波形（焼き肉）プレート使用時（イメージ状態）の構成を示す一部切欠平面図である。
【図２】同電気加熱調理器の上記図１における受けプレートその他の調理プレートを取り外した状態の平面図である。
【図３】同電気加熱調理器の図２と同様の状態における斜視図である。
【図４】同電気加熱調理器の遮熱板および調理プレートのない状態における前後方向中央部の断面図である。
【図５】同電気加熱調理器の平面プレート載置時における遮熱板のある状態での前後方向中央の断面図である。
【図６】同電気加熱調理器の電熱ヒータ単独状態ではコントロールマスター側感熱棒の挿入ができない状態を示す要部の拡大断面図である。
【図７】同電気加熱調理器の、遮熱板をセットすることなく、本体ケースに対して電熱ヒータをセットした状態ではコントロールマスター側感熱棒の挿入ができない状態を示す要部の拡大断面図である。
【図８】同電気加熱調理器の電熱ヒータを設置する前の電熱ヒータと本体ケースおよび遮熱板との対応関係を示す要部の拡大断面図である。
【図９】同電気加熱調理器の電熱ヒータを設置した後の電熱ヒータと本体ケースおよび遮熱板との対応関係を示す要部の拡大断面図である。
【図１０】同電気加熱調理器の変形例１に係る構成を示す図３と同様の斜視図である。
【図１１】同電気加熱調理器の変形例１の構成の要部の構成を示す斜視図である。
【発明を実施するための形態】
【００３１】
以下、添付の図面（図１〜図１１）を参照して、本願発明の実施の形態およびその変形例の構成について説明する。
【００３２】
＜電気加熱調理器全体の構成：図１〜図５参照＞
先ず図１〜図５は、本願発明の実施の形態の電気加熱調理器１の全体的な構成を示している。
【００３３】
この実施の形態にかかる電気加熱調理器１は、例えば一般にホットプレートと称されるものであり、例えば図１〜図５に示すように、大きく分けて調理プレート３〜６と、該調理プレート３〜６が上部にセットされる本体ケース１１と、該本体ケース１１の底部１１ａ上面側にセットされる遮熱板１２と、該遮熱板１２の底部１２ａの上面側にセットされ、上記本体ケース１１上にセットされた調理プレート３〜６を加熱する電熱ヒータ７とからなっている。
【００３４】
調理プレート３〜６は、上記本体ケース１１上端の開口部上に載置される受けプレート３又は平面プレート６（それぞれ左右両端側中央に把手３Ｌ，３Ｒ  ６Ｌ，６Ｒを有している）と、同じく使用時において、上記受けプレート３を介して上記本体ケース１１の開口部上に択一的に載置されるたこ焼きプレート４又は波形プレート５を有して構成されている。
【００３５】
本体ケース１１は、例えば合成樹脂材料により全体として矩形形状の皿型構造に成型されており、この本体ケース１１の底部１１ａ上には、金属製の筒状の脚部１２ｄ，１２ｄ・・を介して全体として矩形形状の皿型構造の金属製の遮熱板（遮熱容器）１２が外部に取り出し可能に設けられている。そして、この遮熱板１２の底部１２ａの上面側に、以下に述べるように略平面Ｙ字形状の電熱ヒータ７がＵ字形状をした所定の金属製の支持部材８，８・・、８Ａを介して遮熱板１２の底部１２ａよりも所定の高さ上方に支持される形で、位置決めされ、設置されている。また、上記本体ケース１１は、その上縁部の全周に、水平方向に所定の幅を有して本体ガード（フランジ部）１１ｃが設けられている一方、その下部は底部四隅に設けられた凸状の脚部１１ｅ，１１ｅを介して略水平に設置されるように構成されている。
【００３６】
一方、上記電熱ヒータ７には、そのＹ型の基部７ｂ，７ｂ部分に、例えば図３のように、ボックス構造の受電部（コントロールマスター受け部）３０が設けられ、この受電部３０を介して温度調節手段２０ｂを備えた電源供給装置であるコントロールマスター２０の本体部２０ａが挿脱可能に接続されるようになっている。そして、その断面逆三角形状のヒータ線部は、同受電部３０の前端側から上記本体ケース１１内遮熱板１２の上方部分を本体ケース前端側に延び、同本体ケース前端側で一旦内側にユーターンして上記後端側受電部３０の所定距離手前に戻り（支持部材８Ａ部参照）、同受電部３０の手前で再びユーターンして再度本体ケース前端側に延び、さらに同前端側で再度ユーターンして上記本体ケース後端側の受電部３０内に戻ることにより、上述のように全体として略平面Ｙ字形に配設され、遮熱板１２内所定のポイント位置（曲成部７ａ，７ａ・・位置）で、上述のように複数の電熱ヒータ支持部材８，８・・、８ＡのＵ状溝部分により係合支持されて、その上部側に載置される上記受けプレート３の一部、およびたこ焼きプレート４、波形プレート５、平面プレート６等のプレート部を均一に加熱するようになっている。
【００３７】
上記受けプレート３は、例えば図１に示すように、本体ケース１１の上部、すなわち上記電熱ヒータ７の配設面上方部に載置され、その外周部の左右両端側に把手３Ｌ，３Ｒを備えるとともに、その底面プレート３ｂ中央側に調理用途の異なる各種交換プレート嵌合用の開口部３ｃを有し、かつ所定の高さ上方に延びた上端側開口部外周に所定幅の外枠部（外周縁部）３ａを備えている。そして、該受けプレート３の底面プレート３ｂ側の開口部３ｃに対して、たこ焼きプレート４（図１の右側上半分に図示）および波形プレート５（図１の左側上半分に図示）が任意に選択されて嵌合されるようになっている。なお、符号４Ｒは、たこ焼きプレート４の右側の把手、５Ｌは波形プレート５の左側の把手を示している。
【００３８】
また、平面プレート６は、例えば図５のように、上記受けプレート３に替えて、本体ケース１１上部の開口部に係合され、単独で使用される。
【００３９】
＜受電部の構成＞
一方、上記受電部３０は、例えば図６〜図９に詳細に示すように、全体として合成樹脂製のボックス構造をなし、その後端部側は筒状ののソケット部３１となっており、同ソケット部３１内空間部３１ａの左右両側には一対の電源プラグ３４，３４が設けられている。
【００４０】
一方、前部側（図示左側）の左右両側部分は、上述した電熱ヒータ７の左右両側の基部７ｂ，７ｂの取付部（電源プラグ３４，３４との連結部）になっているとともに、それらの間の中央部分は、部分的に後面壁３２ａ、中央壁３２ｂ、前面壁３２ｃよりなる３重壁構造の感熱棒誤挿入阻止壁収納部（シャッター部）３２となっており、それら各壁３２ａ，３２ｂ，３２ｃの上下左右略中央部部分には、上記コントロールマスター２０の感熱棒４０ａの直径（外径）よりも少し大きい感熱棒挿入孔３３ａ．３３ｂ．３３ｃが同軸上に設けられている。
【００４１】
また、それら各壁３２ａ，３２ｂ，３２ｃ間の上下方向に延びる扁平な空間が、第１，第２の２つの感熱棒誤挿入阻止壁収納空間に形成されている。
【００４２】
そして、これら第１，第２の前後２つの感熱棒誤挿入阻止壁収納空間は、それぞれ上部側が完全に閉じられている一方、その下端側が各々開放されていて（前部側のものは後面壁３２ｃの下端が一部切除され、中央壁３２ｂと後面壁３２ａ間の空間よりも広く開放されている）、例えば図６、図８に示すように、上述した本体ケース１１の前端側切欠部１１ｄの底部１１ａ部分を所定の長さ後方に長く延設し、同切欠部１１ｄの幅に対応した延設部の上面側中央に設けた柱状の凸部１５部分および遮熱板１２の底部１２ａ側係合片１４の先端１４ａ部分に対応するようになっている。
【００４３】
後部側（図示右側）第１の感熱棒誤挿入阻止壁収納空間内に収納されている第１の感熱棒誤挿入阻止壁３５は、前方側に向けて上下両端側が断面鉤状（アングル形状）に折り曲げられて上下方向に昇降自在となっており、その上下左右方向略中央部分には、上記感熱棒４０ａの直径（外径）よりも少し大きい内径の第１の感熱棒貫通孔３５ａが形成されている。
【００４４】
そして、該第１の感熱棒誤挿入阻止壁３５は、例えば図７のように、電熱ヒータ７が後述する本体ケース１１内に収納されて、同本体ケース１１後部の上記柱状の凸部１５により、上方に押し上げられない限り、例えば図６のように、重力により下降した状態に維持され、その上部側盲壁部分で、コントロールマスター２０側感熱棒４０ａの挿入を阻止するようになっている。
【００４５】
また、前部側（図示左側）の第２の感熱棒誤挿入阻止壁収納空間内に収納されている第２の感熱棒誤挿入阻止壁３６は、上下両端側が前部方向に部分的に肉厚となっており、その下端側肉厚部３６ｂ部分が、例えば図８および図９に示すように、上記遮熱板１２の切欠部１２ｃ間の底部１２ａ中央部分から後方に所定の長さ水平方向に張り出す形で突設された所定の幅の係合片（誤挿入阻止壁作動片）１４の先端１４ａに当接することによって上昇方向に移動するようになっている。
【００４６】
そして、この第２の感熱棒誤挿入阻止壁３６にも、その上下左右方向の略中央部分に上記感熱棒４０ａの直径（外径）よりも少し大きい内径の第２の感熱棒貫通孔３６ａが設けられている。
【００４７】
そして、該第２の感熱棒誤挿入阻止壁３６は、後述するように上記遮熱板１２後部の係合片１４の先端１４ａによって上方に押し上げられない限り、例えば図６のように、重力により下降した状態に維持され、その上部側盲壁部分で、コントロールマスター２０側感熱棒４０ａの挿入を阻止するようになっている。なお、上記係合片１４は、遮熱板１２と一体でも良いが、図示の例では別体に形成され、その基部１４ｂ部分を遮熱板１２の切欠部１２ｃ間の底部１２ａに接合一体化して設けられている。
【００４８】
以上のように、上記第１の感熱棒誤挿入阻止壁３５は、例えば図６に示すように、電熱ヒータ７が上述した本体ケース１１内にセットされていない単独の状態では、重力により下降し、その感熱棒貫通孔３５ａを上記前面壁３２ａの感熱棒挿入孔３３ａよりも下方に位置せしめ、その上部側盲壁部分で上記コントロールマスター２０側の感熱棒４０ａの挿入を阻止するようになっている。
【００４９】
したがって、この電熱ヒータ７単独の状態では、全く感熱棒４０ａは受電部３０内に挿入できず、そのソケット部３１内にコントロールマスター２０本体部２０ａの先端側挿入部（小径部）４０を挿入しようとしても、電源プラグ３４，３４との電気的な接続は実現されない。そのため、電熱ヒータ７のヒータ部が電熱ヒータ７単独の状態で発熱するということはなく、極めて安全となる。
【００５０】
一方、同単独状態から、例えば図６中に矢印で示したように下降されて、電熱ヒータ７が遮熱板１２が設置されていない本体ケース１１内底部１１ａ上にセットされると、例えば図７のようになり、本体ケース１１の底部１１ａ後方側への延設部上に立設された上記柱状の凸部１５が、上記第１の感熱棒誤挿入阻止壁３５の鉤状の下端部３５ｂを上方に押し上げ、その感熱棒貫通孔３５ａを上記前面壁３２ａの感熱棒挿入孔３３ａと同軸状態に連通せしめる。
【００５１】
したがって、この状態で、コントロールマスター２０側の感熱棒４０ａが挿入されると、上記前面壁３２ａの感熱棒挿入孔３３ａから、中央壁３２ｂの感熱棒挿入孔３３ｂまでの挿入は可能となる。
【００５２】
ところが、上記のように、この図６〜図７の状態では、本体ケース１１内に遮熱板１２が設置されていないために、第２の感熱棒誤挿入阻止壁３６は下降したままであり、その上部側盲壁部分で感熱棒４０ａの中央壁３２ｂ部分から後面壁３２ｃ側感熱棒挿入孔３３ｃ部分への挿入を阻止する。
【００５３】
この結果、仮に電熱ヒータ７が本体ケース１１内にセットされたとしても、適切に遮熱板１２を介してセットされていない限り、電熱ヒータ７には電源が供給されない。
【００５４】
したがって、遮熱板１２がない状態で電熱ヒータ７が発熱し、本体ケース１１設置部を焦がすという懸念もなくなる。
【００５５】
一方、これに対して、例えば図８に示すように、本体ケース１１内に適正に遮熱板１２がセットされていると、上記遮熱板１２側の係合片１４の先端１４ａにより、上記第２の感熱棒誤挿入阻止壁３６の下端部３６ｂが上方に押し上げられるので、例えば図８から図９のように、電熱ヒータ７が同本体ケース１１内の遮熱板１２上に適正にセットされたときには、上記第１，第２の感熱棒誤挿入阻止壁３５，３６の感熱棒貫通孔３５ａ，３６ａが、それぞれ上記３重壁構造部３２の各壁３２ａ，３２ｂ，３２ｃ部分の各感熱棒挿入孔３３ａ，３３ｂ，３３ｃと同軸上に位置することになり、遮熱板１２上の電熱ヒータ７側まで適正に感熱棒４０ａが挿入される。
【００５６】
そして、それにより、受電部３０後部側の筒状のソケット３１内の空間部３１ａ部分において左右両側に後方に突出して設けられている一対の電源プラグ３４，３４に対して、コントロールマスター２０本体部２０ａの先端側挿入部４０両側の一対の電源ジャック部（筒状の電源プラグ挿入端子）が嵌合され、上記電熱ヒータ７に電源が給電されるとともに、同挿入された感熱棒４０ａの先端が、例えば平面プレート６の底部６ａ又は受けプレート３の底部３ｂに接触して、それらの温度の検知が可能となる（平面プレート６の場合で示す図５の状態を参照）。
【００５７】
また、以上の構成の場合、要するに、ボックス状の受電部３０内の感熱棒挿入孔３３ａ〜３３ｃ部分の感熱棒挿入方向に第１，第２の感熱棒誤挿入阻止壁３５，３６が直列状態で設けられており、それらが本体ケース１１および遮熱板１２の存在を前提として、それら各々の設置状態の論理積条件が成立した時にのみ、感熱棒４０ａの挿入、電源の供給を可能とするようにしているから、例えば本体ケース１１を使用することなく、遮熱板１２のみを使用して感熱棒４０ａを挿入することも、もちろん不可能である（その場合、第１の感熱棒誤挿入阻止壁３５により挿入が阻止される）。
【００５８】
以上の結果、本願発明の実施の形態によると、次のような効果を得ることができる。
【００５９】
（１）  電源の供給に際し、本体ケースおよび本体ケースにセットされる遮熱板等セット対象物各々との関係において、所定の対応関係が実現されていないと、感熱棒の挿入が阻止されるから、より確実に通電時の安全性が実現される。
【００６０】
（２）  複数の感熱棒挿入阻止壁は、それらの何れも受電部内の感熱棒挿入孔部分に完全に格納される形で設けられているため、受電部ケーシングの外部に、あるいは受電部ケーシングの周辺に不必要な阻止壁や突出部等を設ける必要がなく、通電阻止構造を簡単かつコンパクトに実現することができる。
【００６１】
また、外部操作が不可能なので、信頼性が高く、故障も少ない。
【００６２】
＜変形例１＞
なお、以上の図１〜図９の構成では、例えば受けプレート３、平面プレート６等の基本となる調理プレートがセットされていないと感熱棒４０ａを挿入できないようにする構成を示さなかったが、これは、例えば図１０、図１１に示すように、上記遮熱板１２の後端側切欠部１２ｃ中央部分に、調理プレート３，６の底面によって下降操作される左右一対の前後方向に平行な押し下げ片５２，５３と、それら押し下げ片５２，５３の間にあって直交方向に一体に起立され、同押し下げ片５２，５３が上昇位置にある調理プレート３，６のない非押し下げ状態では同じく上昇状態にあって上述した感熱棒４０ａの先端を係止する一方、調理プレート３，６が載置されると、押し下げ片５２，５３を介して所定寸法下方に押し下げられて感熱棒４０ａの挿入を可能とする第３の感熱棒誤挿入阻止壁５１を有する感熱棒誤挿入阻止部材５０（図１１参照）を、例えばスプリング等で下方から上方に付勢した状態で並設することも、もちろん可能である。
【００６３】
この場合、誤挿入阻止壁５１は、押し下げ片５２，５３よりも所定寸法高さが低く形成されている。
【００６４】
＜変形例２＞
また、上記変形例１のものと同様の作用を果たす第３の感熱棒誤挿入阻止壁５１は、上記変形例１の構成に代えて、例えば上記実施の形態の受電部３０内に３列構造で並設し、上記調理プレート３，６の把手部３Ｒ，６Ｒの下面側に設けた凸部等で上方から下方に押し下げることにより、感熱棒４０ａの挿入を可能とするようにしてもよい。
【００６５】
＜変形例３＞
さらに、上記図１〜図９の構成では、第１，第２の感熱棒誤挿入阻止壁３５，３６を重力で下降状態で維持するようにしたが、これは、さらにスプリング等の付勢手段により下方に付勢するようにしても良い。
【符号の説明】
【００６６】
１は電気加熱調理器、３は受けプレート、４はたこ焼プレート、５は波形プレート、６は平面プレート、７は電熱ヒータ、１１は本体ケース、１２は遮熱板、２０はコントロールマスター、２０ａはコントロールマスター本体、２０ｂは温度調節手段、３０は受電部、３１はコントロールマスター挿入用ソケット、３１ａはコントロールマスター挿入空間、３２は感熱棒誤挿入阻止壁設置部、３５は第１の感熱棒誤挿入阻止壁、３６は第２の感熱棒誤挿入阻止壁である。
【図１】
2014050559.tif 000003
【図２】
2014050559.tif 000004
【図３】
2014050559.tif 000005
【図４】
2014050559.tif 000006
【図５】
2014050559.tif 000007
【図６】
2014050559.tif 000008
【図７】
2014050559.tif 000009
【図８】
2014050559.tif 000010
【図９】
2014050559.tif 000011
【図１０】
2014050559.tif 000012
【図１１】
2014050559.tif 000013